(57)【要約】【課題】  大便や小便などの排泄を行うための便器用の便座に係るものであるが、特に、介護者を必要とするような障害者などが容易かう簡便に利用するのに好適な車椅子利用者向け用の便座器、及び、そのトイレ設備の使用方法の提供。【解決手段】腰掛式の大便器に着脱自在に被せられて取り付けられる便器用便座装置１であって、上記便器１００の開口端に対して回転する回転着座３を備えると共に、上記回転着座３は軽量な素材により形成され、かつ折り畳み可能に構成される。また、トイレ７内に乗り入れた折り畳み式車椅子２００を折り畳む機構を備えているトイレ設備。【選択図】図1
2017189386.tif 000002
【特許請求の範囲】
【請求項１】
腰掛式の大便器に着脱自在にかぶせられる便座装置であって、上記大便器の上部側の開口端に対して回転する回転着座を備えると共に、上記回転着座は軽量な素材により形成され、かつ折り畳み可能な素材により形成されることを特徴とする請求項１記載の車椅子利用者向け用の便座装置。
【請求項２】
上記回転着座と一体となって回転する踏み台が床面に向かって備えられていることを特徴とする請求項１記載の車椅子利用者向け用の便座装置。
【請求項３】
上記回転着座と一体となって回転する手すりが立設されて備えられていることを特徴とする請求項１または２記載の車椅子利用者向け用の便座装置。
【請求項４】
腰掛式の大便器とそれを取り囲む壁を少なくとも構成要素とするトイレ設備において、上記トイレ内に乗り入れた車椅子の使用者が、上記車椅子を片側方向に寄せると共に、折り畳む機構を備えていることを特徴とするトイレ設備の使用方法。
【発明の詳細な説明】
【技術分野】
【０００１】
本発明は、大便や小便などの排泄を行うための便器用の便座に係るものであるが、特に、介護者を必要とするような障害者などが容易かう簡便に利用するのに好適な車椅子利用者向け用の便座装置、及び、そのトイレ設備の使用方法に関するものである。
【背景技術】
【０００２】
大便又は小便を排泄するためのトイレは、便器とその周囲を取り囲むパーテシヨンで構成されており、パーテションの一部は扉になっていてその使用者は扉を開いてパーテションの内部に入り、扉を閉めて便器の前で鉛直軸を中心に180度回転し、かつしゃがんで便座に腰かけて排泄し、その使用後には立ち上がり扉の方向に向かい、扉を開けて外部に出て扉を閉めるようになっている。健常者は、概ね上記のような使い方をするのであるが、車椅子を利用する障害者はそれとややことなる使い方をする。
【０００３】
すなわち、トイレの扉を開けて車椅子で乗り込んで介護者が扉を閉め、障害者は介護者の助けを受けて車椅子から立ち上がり、便器の前で鉛直軸を中心に１８０度回転してしゃがんで便座に腰かけて排泄し、その後、立ち上がり、鉛直軸を中心に１８０度回転して介護者の助けを受けてしゃがんで、車椅子に着座して、車椅子を後ろ向きに扉の方向に向かい、扉を開けて外部に出て、扉を閉める。なお、軽度の障害者の場合には介護者がいなくても用便を済ませることがあるが、概ねこのような使い方をしている。
【０００４】
しかして、従来のトイレの多くは健常者が排泄することを想定して設営されているので、車椅子を利用する障害者は利用が難しいものが多い。公共のトイレには、健常者用トイレの他に障害者が使いやすいトイレを設営している場合も少なくないが、例えば健常者用のトイレ１０個に対して障害者用が1個といったように極めて少ない設置である。このようなトイレ環境では、パラリンピックなど障害者が多く集まる行事を行う場合には、トイレの問題が特に大きな課題になってきている。日常においても、トイレ利用が心配で障害者の外出意欲をそいでしまっている部分もあるので、障害者用のトイレを増やすことが暮らしやすい社会実現のためにも必要なことと言える。
【０００５】
このため、障害者の用便を支援する様々な工夫が発明され提案されている。
例えば、特許文献1及び特許文献2に開示された提案では、便座部分がトイレの空間から外側にまで伸びることができ、障害者はトイレの空間の外側で車椅子から便座に乗り移るアイデアが開示されている。また、特許文献3及び特許文献4には、便器全体を回転させるアイデアが開示されている。また、特許文献5には、便座本体の便座部分が電動で回転するアイデアが開示されている。
【０００６】
一方、特許文献６から特許文献７には、便座部分若しくは移乗器具がトイレ空間から外側にまで伸び、障害者はトイレ空間の外側で車椅子から便座若しくは移乗体に乗り移るアイデアが開示されている。また、特許文献８では、トイレ空間という狭い空間で車椅子の向きを変えることが可能なアイデアが開示されている。
【先行技術文献】
【特許文献】
【０００７】
【特許文献１】特開平１０−１４６２９９号公報
【０００８】
【特許文献２】特開平１１−８１７２１号公報
【０００９】
【特許文献３】特開２００４−１１６１６５号公報
【００１０】
【特許文献４】特開２０１０−３７７８３号公報
【００１１】
【特許文献５】特開平１１−３３２７８７号公報
【００１２】
【特許文献６】特開２０１１−１９６１６号公報
【００１３】
【特許文献７】特開２０１０−１１９４５８号公報
【００１４】
【特許文献８】特開２００５−１１８５２５号公報
【発明の概要】
【発明が解決しようとする課題】
【００１５】
上記のように、車椅子を使用する障害者に対し様々な提案がなされているが、トイレ空間の大幅な改変を余儀なくされるものであった。すなわち、特許文献1、特許文献２では、トイレ外に一時的に便器を出したり乗り移り用の器具を準備しなければならず、トイレ外に車椅子の乗降用のスペースを確保した上で、乗り移り用の専用の設計をしなければならず、設営およびその後の運用に負担をかけるという問題を抱えている。また、特許文献3及び特許文献4では、トイレ自体をトイレ内で回転させることで限られたトイレスペース内で障害者がトイレを利用できる優れたアイデアと言えるが、本来固定されることを前提とした便器全体を回転させるので、仕組み全体が大掛かりとなり、また、水回りが特殊な構造となるので、設営の初期段階から回転便器専用の工事が必要という問題を抱えている。また、特許文献5では、便座部分だけを回転させる構造であるので、後付け作業で健常者用のトイレを障害者にも使えるトイレに改造できる優れた提案であるが、特殊な便座を便器の上に設置しなければならず、健常者がトイレを利用する場合もこの便座を利用するので、使用劣化が早くなるなどという問題を抱えている。  また、特許文献６乃至特許文献８などでは、トイレ内という限られた空間内で車椅子の向きを効果的に変えることができるが、車椅子の大きさを変えることはできないので狭いトイレ空間での動き憎さに大きな改善は期待できず、トイレ外に一時的に便器を出したり、乗り移り用の器具を出すアイデアでは、トイレ外に車椅子の乗降用のスペースを確保した上で、乗り移り用の専用の設計をしなければならず、設営およびその後の運用に負担をかけるという課題を抱えている。
【００１６】
このようなトイレ環境では、例えばパラリンピックなど障害者が多く集まる行事を行う場合にあっても、日常においてもトイレ利用が心配で障害者の外出意欲をそいでしまっている部分もあり、上述したように障害者用のトイレを増やすことが暮らしやすい社会実現のためにも必要なことと言える。したがって、大幅な改造を行うことなく簡便で容易に使用することができるものが望まれている。
【００１７】
本発明は、このような目的を達成するために、障害者用のトイレを大幅な改造を行うことなく簡便で容易に使用することができるものとして、腰掛式の大便器に着脱自在に被せられて取り付けられ、その開口端に対して回転する回転着座を備えると共に、上記腰掛式大便器に対し軽量な素材により形成され、かつ折り畳み可能に構成される車椅子利用者向けの便座装置、及び、折り畳み式車椅子を折り畳む機構を備えるなどのトイレ設備の使用方法を提供する。
【課題を解決するための手段】
【００１８】
本発明は、請求項1記載のように、腰掛式の大便器に着脱自在にかぶせられる便座装置であって、上記大便器の上部側の開口端に対して回転する回転着座を備えると共に、上記回転着座は軽量な素材により形成され、かつ折り畳み可能な素材により形成されることを特徴とする。
また、請求項2記載のように、上記回転着座と一体となって回転する踏み台が床面に向かって備えられていることを特徴とする。
また、請求項3記載のように、上記回転着座と一体となって回転する手すりが立設されて備えられていることを特徴とする。
また、トイレ設備の使用方法としては、請求項４記載のように、腰掛式の大便器とそれを取り囲む壁を少なくとも構成要素とするトイレ設備において、上記トイレ内に乗り入れた使用者が、上記車椅子を片側方向に寄せると共に、折り畳む機構を備えていることを特徴とする。
【発明の効果】
【００１９】
本発明の便座装置によれば、従来多くのトイレが健常者用に作られておりそれを身障者が使いやすいようにするには大掛かりな改造が必要になる場合が多いが、健常者用のトイレを簡単に身障者が使いやすいトイレにすることができ、また容易に健常者専用に戻すこともできる。すなわち、公共のトイレでは身障者用のイベントの開催時など身障者の利用が多くなると予測される時期だけ一時的に本発明の便座装置を用い、身障者用トイレを容易に増やすと共に、イベント終了後には本発明の便座装置を取り外して健常者用に戻すという使い方をすることもできる。また、本発明のトイレ使用方法によれば、によれば、家族が病気や事故で車椅子を利用する状況になった際に、折り畳み式車椅子の折り畳む機構を備えるトイレ設備を容易かつ迅速に車椅子でのトイレ利用ができるトイレを提供し、車椅子を利用する身障者がトイレを楽に利用することができる。
【図面の簡単な説明】
【００２０】
【図１】本発明の第1の実施例を示した斜視図である。
【図２】本発明の第１の他の実施例を示した斜視図である。
【図３】本発明の第2の実施例を示した平面図である。
【図４】本発明の第3の実施例を示した斜視図である。
【図５】本発明の第４の実施例を示した側面図である。
【図６】本発明の第５の実施例を示したトイレの説明図である。
【図７】本発明の第５の実施例における車椅子の片寄状態を示した上面図である。
【図８】本発明のトイレの他例を示した上面図である。
【図９】本発明のトイレのその他の例を示した上面図である。
【図１０】本発明のトイレのその他の他例を示した上面図である。
【発明を実施するための形態】
【００２１】
図1は、本発明の第1の実施例であり、トイレ７の内部を示した斜視図である。便座装置１は、通常の便器１００とこの便器１００の上端部１０１の上方からかぶせるように着脱可能に取り付ける回転便座３とよりなる。上記回転便座３は、ドーナッツ形状の固定枠２に載せた同じくドーナッツ形状の回転便座３aとにより構成されると共に、この回転便座３aを支える左右のフレーム4、４が床面９に向かって延設された構成とされている。したがって、この左右のフレーム4、４は、便器１００の左右部分より便器１００に被せられ、便器１００の左右部分を規制しつつ便器１００を支持する。また、この上記回転便座３は、実際に便器１００に着脱自在に配置された場合、上記フレーム４、４によって、上記便器１００の上端部１０１に上記固定枠2が接触しない高さを保つように設定される。すなわち、床面９に接触するように安定的な状態とされる。
【００２２】
このように、回転便座３は便器１００に着脱自在にかぶせられるものであるが、その具体的な構成は、軽量な素材により形成され、かつ折り畳み可能な素材により形成される。すなわち、軽量な素材であり折り畳み可能な素材あるので、紙製部材、ゴム製部材、樹脂製部材などの周知の部材を選択することができる。また、折り畳み可能な機構としては、周知の折り紙機構を参考にして構成することができる。さらに、回転着座３aの構成としては、その構造は図示しないが便座として安定的かつ十分な支持力をもって回転する機構であればよい。
【００２３】
この便座装置１の使用について図７乃至図１０を参照しつつ説明する。
回転便座３は、このトイレ７の管理者によって予め便器１００に隣接するなどの場所に収納配置されている。なお、この便器１００には、公知のものとしてウォシュレット機能が付いており、従来のウォシュレット機能をそのまま使用することができる。  車椅子２００を使った障害者はトイレ７の室内に車椅子で２００をそのまま乗り入れ、便器１００と正対する位置に止めて車椅子２００からわずかに立ち上がり、トイレ７の内壁７a及び内壁７aに取り付けた手すり６につかまって、上記便座１００に移乗する。なお、６aは手すり収納くぼみである。その際、本来の便座１００での座る向きは車椅子２００に座っている時の向きから180度回転した向きであるが、障害者の多くはそれが難しく、例えばこの実施例では障害者は車椅子の着座の向きから90度時計回りに回転した向きで便座に着座する。その後、障害者は自ら便座を時計回りに90度回転させると障害者は便器の本来の着座向きに座れることになる。この向きで排泄を終えたら、まず自身の向きを90度反時計回りに変えるために回転便座３を90度反時計回りに回転させ、トイレ７の内壁７a及び内壁７aに取り付けた手すり６につかまって自身の体をひねりながら車椅子１００に着座して、車椅子１００を後退させてトイレ１の室内から退出する。  なお、上記便座装置１の使用については1例である。
【００２４】
図2及び図3は、回転便座３aに踏み台5を備えた場合を示している。また、ここで説明する以外の内容は図１で示した実施例と同様である。トイレ７の室内に車椅子２００で乗り込んだ障害者は実施例１と同様の手順で、回転便座３aに移乗し排泄を行い、その後再び車椅子２００に戻り車椅子２００を後進させてトイレ７から退出するが、本実施例では踏み台５を備えているのでこの踏み台５を活用して移乗をより円滑に行う。
【００２５】
詳しく説明すると、回転便座３aをあらかじめホームポジションから60度時計回りに回転させた位置にしておく。ホームポジションとは、用便を行うポジションのことである。図2はこの６０度回転させた状態の上面図であり、踏み台５は回転便座３aと一体となって回転する。この状態のトイレ７内に障害者は車椅子2００で乗り込んで便器と正対する位置で車椅子2００を止めた際、回転便座３aに移乗する。移乗はゆっくりとしゃがみ、まず、腰を回転便座３aに下す。次に片足ずつ順に踏み台５、５に足を載せて、両足を載せ終えたら、障害者自身がトイレ７の壁を押してホームポジションに向けて６０度反時計回りに回転させる。排泄を済ませた後は、上記行程を逆に辿って車椅子2００に移乗する。
【００２６】
図4から図6は、手すり6を備えた場合を説明している。ここで説明する内容以外は、図2と図3を用いて説明した実施例と同様である。この実施例では、回転便座３aに踏み台5と手すり6を備えていることが特徴である。すなわち、先の実施例の要領で排泄を行うが、その際に障害者が自身の姿勢を安定に保つために手すり６が設けられている。
【００２７】
このように、本発明の便座装置１は、作業者一人で取り扱えるように軽量に作成されていて、トイレ７を健常者用に使っている場合にはトイレ７近くの保管スペース（図示略）に置かれている。したがって、いわゆる丸椅子と呼ばれる椅子と同様に上に重ね積みして保管できるので、狭い保管スペースでも複数の回転便座３aを効率的に保管でき、公衆トイレなどで複数の健常者用トイレを備えていて、それを障害者向けイベント開催時だけ障害者でも使えるように対応するのに適している。なお、この回転便座３aの保管あるいは折り畳みは、上記以外に限定されず先の述べたように種々の方法を採用することができる。
【００２８】
図４は本発明の回転便座３aをこれからまさに設置しようと便器１００の上方に掲げた状態であり、図5はそれを設置した状態である。図5でフレーム４の下端はトイレの床面９に着いている。図6は図5の状態を側面図として示したものであり、図6で描いてある通り、本発明の回転便座３aの固定枠２は便器１００の上端とは接触していないことが特徴である。このことで健常者用の便器１００に加重等の負担を課すことなく障害者用の便器として利用することができる。
【００２９】
次に、図７から図１０によりトイレ設備の使用方法について説明する。  図７はトイレ設備７の内部を示した斜視図である。トイレ設備７は、便器１００とそれを取り囲む壁７a、床面９及び折り畳み式車椅子２００の固定ホルダー１０と可動ホルダー１１、移乗用手すり１２並びに移乗手すり格納くぼみ１２aで構成されている。この実施例では、可動ホルダー１１が左側に開いた位置にあり、可動ホルダー１１が開いた状態で折り畳み式車椅子２００がトイレ設備７内に乗り入れている状態を示す。折り畳み式車椅子２００はその左右の主輪の外側をそれぞれ可動ホルダー１１と固定ホルダー１０とで挟み込む形で固定されている。この固定状態で、上記車椅子２００で乗り入れた障害者は、車椅子２００から立ち上がり、移乗用手すり６を移乗用手すり格納くぼみ６aから下向きに引き出して、この引き出された手すり６につかまり便器１００の便座に移乗する。移乗用手すり１２は上記可動ホルダー１１と連動しており、移乗用手すり１２を下向きに押し下げれば押し下げるほど可動ホルダー１１は上記車椅子２００が転倒しないように強固に固定するように動くようになっている。上記車椅子２００を移動可能にするには、上記移乗用手すり１２を移乗用手すり格納くぼみ１２aに収納すればよい。
【００３０】
図９は、障害者が便座１００に移乗した後、じゃまになった上記車椅子１００を折り畳むことについて図で示したものである。上記移乗用手すり１２とは反対側の側面の壁から車椅子折り畳みレバー１５を取り出して下向きに押し下げることで上記可動ホルダー１１が図で右向きに大きくスライドし、これに伴って折り畳み式車椅子１００が蛇腹を押しつぶすように幅を狭くしていく。車椅子折り畳みレバー１５の操作については移乗用手すり６と同様である。なお、折り畳み式車椅子１００は使用中にむやみに折り畳まれないようにストツパが設けられている。このトイレ設備７では、上記車椅子折り畳みレバー１５を押し下げる操作と連動して車椅子の折り畳み防止フックを外す操作が行われるようにしてある。詳しい説明は省略するが、このトイレ設備７０は画像認識で車椅子１００の車種を認識して、トイレ設備７が保有するデーターベースと照合してフック位置を調べて外すということを自動的に行うようにしてある。なお、図９は車椅子が折り畳まれた状態を描いている。
【００３１】
すなわち、トイレ設備７内で折り畳まれていた車椅子１００を開いて障害者が乗れる状態にするまでの操作を示した例であるが、図９の状態、すなわち、車椅子が折り畳まれた状態から図１０では開いた状態に変化している。  図９と図１０を比較するとわかるように、図１０では車椅子折り畳みレバー１５が同レバー格納くぼみ（図省略）に格納された状態である。折り畳みレバー１５を図９の状態から図１０の状態に引き上げる動きに連動して可動ホルダー１１が図で右から左にスライドして車椅子２００をアコーディンの蛇腹を引き伸ばすように開いていく。便座から開いた車椅子２００に移乗するには図７、図８に示したように図の左側壁に埋設した移乗手すり１２を押下げてこの手すり１２につかまりながら車椅子２００に移乗する。
【００３２】
以上のように、この発明によれば、トイレ設備の使用によって、折り畳み式車椅子を使用する障害者がトイレ設備を簡便に利用することが効果的に行える。健常者を想定して設営したトイレ設備は一般的に車椅子利用者にとって狭くて利用しにくいのだが、車椅子を折り畳むことができれば利用しやすさが向上する。
トイレ設備自体に折り畳み式車椅子を折り畳む機能及び又は開く機能を備えることにより車椅子使用者のトイレ設備利用が格段に向上する効果がある。したがって、本発明の便座装置は、健常者用に設営したトイレを簡便に障害者用のトイレとして使用できるための技術であり、便座装置は本来の健常者用トイレに対して大きな改造や負担を課さないので、障害者用のトイレから健常者用のトイレに戻すことも容易である。また、障害者用のイベント時に一時的に障害者用のトイレを増やすなど臨機応変に変えられることができる。
【符号の説明】
【００３３】
1      便座装置
2      固定枠
3      回転便座
4      フレーム
5      踏み台
6      手すり
７     トイレ設備
７a     内壁
９      床面
１０    固定ホルダー
１１    可動ホルダー
１２    移乗手すり
１２a    移乗用手すり格納くぼみ
１５    車椅子折り畳みレバー
１００  便器
１０１  便器の上端部
２００  折り畳み式車椅子
【図１】
2017189386.tif 000003
【図２】
2017189386.tif 000004
【図３】
2017189386.tif 000005
【図４】
2017189386.tif 000006
【図５】
2017189386.tif 000007
【図６】
2017189386.tif 000008
【図７】
2017189386.tif 000009
【図８】
2017189386.tif 000010
【図９】
2017189386.tif 000011
【図１０】
2017189386.tif 000012